(57)【要約】【課題】弾性支持手段によりフレームに両端部が取付けられるスラットを通常有しているマットレスなど用の支持ばね装置を提供する。【解決手段】支持ばね装置は、少なくとも個々のスラットをそれらの支持手段の領域において個々に昇降させることができる設計されている。これにより、支持ばね装置は、マットレスを経てマットレスに横たわっている個人に伝達される任意の所望の移動を行うことができる。マットレスのこれらの移動により、特に、ベッド痛の防止または治療を可能にする。また、これらの移動は或る臨床特徴のある患者、詳細には、移動性が制限されており、かくして刺激不足に病んでいる患者を刺激するのに適している。本発明による支持ばね装置は痛みの治療に使用してもよい。【選択図】図１
2005503880.tif 000002
【特許請求の範囲】
【請求項１】
マットレスなどを支持する複数のスラットと、これらスラットの両端部に割り当てられ、スラットを好ましくはフレームに弾性的に取付けるようになっている複数の支持手段とを有するマットレスなどのための支持ばね装置において、スラット（１０）のうちの少なくとも幾つかは、明確制御方法で上下に移動されることができることを特徴とする支持ばね装置。
【請求項２】
スラット（１０）は、これらの両端部で、好ましくは、これらの端部に割り当てられた持上げ機構（１４）によって上下に移動されることができることを特徴とする請求項１に記載の支持ばね装置。
【請求項３】
好ましくは空気ばねのように設計されている前記持上げ機構（１４）は、前記支持手段の領域に或いは支持手段に割り当てられていることを特徴とする請求項１に記載の支持ばね装置。
【請求項４】
マットレスなどを支持する複数のスラットと、これらスラットの両端部に割り当てられ、スラットを好ましくはフレームに弾性的に取付けるようになっている複数の支持手段を有するマットレスなどのための、特に請求項１に記載の支持ばね装置において、前記支持手段は、中空体を有しているか、或いは中空体が支持手段に割り当てられており、これら中空体は、これらに流体を供給するための、および／または流体を中空体から個々に導出するための流体管路に連結されている特徴とする支持ばね装置。
【請求項５】
前記支持手段は、スラット（１０）の端部を弾性的に取付けるためのばね部材を有しており、前記中空体は、スラット（１０）の取付け弾性を変化させ、および／またはスラット（１０）を移動させるように設計されていることを特徴とする請求項４に記載の支持ばね装置。
【請求項６】
支持手段の前記ばね部材は、前記中空体が加圧されていないとき、最大の弾性を前記支持手段に与えるように設計されていることを特徴とする請求項５に記載の支持ばね装置。
【請求項７】
前記中空体の内圧は、弁によって制御されることができ、これら弁を中央制御手段によって作動することが可能であることを特徴とする請求項４に記載の支持ばね装置。
【請求項８】
前記中空体すべての前記弁には、中央流体圧力源から、好ましくは同じ圧力の流体が供給されることができることを特徴とする請求項７に記載の支持ばね装置。
【請求項９】
前記中空体、特に、１つのスラット（１０）または複数のスラット（１０）に割り当てされている中空体群は、異なる圧力により作用されることができ、好ましくは、各個々の中空体の圧力を少なくとも１つの流体管路を介して個々に変化させることが可能であることを特徴とする請求項４に記載の支持ばね装置。
【請求項１０】
前記中空体は、特にスラット（１０）の端部を個々に好ましくは周期的に移動させ、好ましくは上昇移動をスラット（１０）の端部にスラット（１０）の長さ方向軸線に対して直交方向に及ぼすようにして、個々の加圧によって前記中空体を少なくとも１つの方向に互いに別個に膨張することができることを特徴とする請求項４に記載の支持ばね装置。
【請求項１１】
特に持上げ機構（１４）に割り当てられた中空体を上下に移動させるために、中空体内の圧力を変化させたり維持したりするために、各中空体または持上げ機構（１４）に割り当てられる値は、制御装置によって作動することができることを特徴とする請求項４に記載の支持ばね装置。
【請求項１２】
前記制御装置は、所望に応じて各中空体または各持上げ機構を互いに独立して作動するように設計されており、複数の中空体または持上げ機構（１４）を同時に、特に同期的および非同期的に作動することが可能であることを特徴とする請求項１１に記載の支持ばね装置。
【請求項１３】
前記制御装置は、選択された中空体または中空体群内の圧力を連続的に、特に周期的に変化させるように設計されており、前記制御装置は、好ましくは、複数の選択されたスラット（１０）を次々に連続的に、特に周期的に移動させるように設計されており、異なるスラット（１０）を好ましくは異なる時点で次々に移動させることが可能であることを特徴とする請求項１１に記載の支持ばね装置。
【発明の詳細な説明】
【技術分野】
【０００１】
本発明は請求項１および４の前置きによるマットレスなど用の支持ばね装置に関する。また、本発明はこの種類の支持ばね装置の好適な用途に関する。
【背景技術】
【０００２】
睡眠のための、横たわるためのおよび／または座るための備品のマットレス用になっており、弾性支持手段によりフレームまたは他の固定物体に弾性的に取付けられている弾性スラットを有する支持ばね装置が知られている。これらのスラットは一定の通常等しい間隔を隔てて互いに平行に延びている。支持手段の弾性を変えることによって、支持ばね装置のばね特性をマットレスなどに横たわる個人の要求に適合させることが可能である。
【０００３】
知覚才能が制限されるか或いは正常に機能しない個人、例えば、意識不明の個人、移動性が激しく制限された個人だけではなく、ベッド痛の恐れのある個人および／または絶え間ない痛みをわずらっている個人は長期間、ベッドに寝たきりのため、種々の問題をこうむっているこれらの問題としては、特に、刺激不足、ベッド痛、および横たわり姿勢にあることにより生じる痛みが挙げられる。マットレスなど用の公知の支持ばね装置を、それらの弾性挙動において特定の個人の要求に適合させることができ、このように、これらの支持ばね装置はいずれの場合にも前述の問題を十分に解決することができない。
【発明の開示】
【発明が解決しようとする課題】
【０００４】
以上のことから、本発明の目的は、マットレスに横たわる個人を個々に刺激することが可能であり、且つ特にベッド痛を防いだり治療したりし、痛みの治療を助成したり、刺激不足を防いだりするのに役立つマットレス用の支持ばね装置を提供することである。
【課題を解決するための手段】
【０００５】
この目的を達成するための支持ばね装置は、請求項１の特徴を有している。少なくとも幾つかのスラットを特別制御方法で上下に移動させることができることにより、本発明による支持ばね装置は、マットレスなどに横たわる個人の下側に移動を及ぼし、これらの移動はマットレスなどに横たわる個人に伝達される。少なくとも幾つかのスラットが特別制御方法で上下に移動されるため、これらのスラットを個々に上昇させたり、降下させたり、および／または傾動させたりすることができる。これにより、特定の個人、特に、患者を特にその要求に応じて個々に移動させることができる。これらの移動を正確に比例させることができ、必要なら、狭い限度内に保つことができ、これは痛みの治療に助成するために重要である。
【０００６】
好ましくは、スラットをそれらの両端部で上下に移動させることができる。これらの移動は、特定のスラットの端部がその傾斜を変えないように同じ程度まで（同期的に）上下に移動されるように制御することができる。しかしながら、必要なら、少なくとも幾つかのスラットの端部異なる程度まで上昇させてもよいし、或いは関係するスラットの傾斜が変化するように、一端部を上昇させ、他端部が降下させる。複数のスラット、複数のスラット群またはスラットのすべての対応する個々の制御により、任意の所望の移動、詳細には波状移動、傾斜平面上の移動または回転を生じることができる。この目的で、少なくとも幾つかのスラットを、それらの両端部に割り当てられ、好ましくは空気ばねのように設計された持上げ機構により上下に移動させることができる。
【０００７】
本発明の好適な一改良例によれば、持上げ機構はスラットの支持手段の領域に配置されており、好ましくは支持手段に割り当てられている。これにより、持上げ機構をスラットの端部に空間節約方法で受入れることができ、必要なら、支持手段と一体化することができる。また、支持手段の領域または支持手段における持上げ機構を使用して支持手段のばね特性を支持するか或いは無効にすることも可能である。
【０００８】
持上げ機構は好ましくはベローズ状中空体として設計されている。これらの持上げ機構を所望に応じて、特に流体により特別比例方法で上下に移動させることができ、この流体は液体またはガスであることが可能である。中空体は好ましくはガスにより最も簡単な場合、空気により上下に移動され、ガスの圧縮性の結果、個人の優しい反射運動の無い移動が生じる。
【０００９】
初めに述べた目的を達成するための更なる支持ばね装置は請求項４の特徴を有している。中空体の少なくとも幾つか、またはスラットに割り当てされている中空体が流体を個々に供給することができる流体管路に連結されており、各中空体は、必要なら、流体が個々に且つ特別に供給され、従って加圧され、また特定の中空体内の圧力を個々に低減させることができる。これによりスラットの任意の所望の移動を可能にする。詳細には、これらのスラットまたはスラットの端部は敏感な上昇移動を達成することができ、その結果、特定のマットレスに横たわる個人を特定の方法で刺激することができる。これらの移動は特定の個人の臨床特性に適合される方法で制御することができる。
【００１０】
本発明による支持ばね装置は、好ましくは、支持手段がスラットの端部、好ましくはスラットのすべてを弾性的に取り付けるためのばね部材を有し、また少なくとも幾つかのスラットに割り当てられている中空体がこれらのスラットの取付け弾性を変化させるように設計されている。中空体内の圧力の変化により、関係した支持手段のばね特性を特別制御方法で変化させることができる。また、中空体が割り当てられるスラットの端部を個々に移動させることができ、つまり、これらの端部は上方および下方に向けられた上昇移動を行うことができる。これらの中空体は、好ましくは、スラットの長さ方向軸線に対して直交方向に、従ってマットレスなどの平面に対して直交方向に上昇移動が生じるようにして設計されてスラットの端部に割り当てられている。しかしながら、この方法では、マットレスの傾斜は、対応して制御される上昇移動を行う際に異なる程度まで伴われて、少なくとも１つのスラットの両端部の持上げ機構により変化することができる。しかも、個々の中空体の特別に制御される上昇移動により、マットレスの表面における変化、詳細には、例えば、連続波状および／または回転移動に追従することによる表面の動力学的変化を可能にする。この目的で、個々の中空体、特に１つまたはそれ以上にスラットが割り当てられる中空体群に異なる圧力を作用することができる。
【００１１】
中空体内の圧力を個々に変化させるために、好ましくは、各中空体に専用の流体管路により流体を供給することができる。特定の流体管路に、対応する流体供給装置および／または弁ユニットを介して個々に所望の圧力を供給することができ、またこの管路をガス抜きすることができる。各所望の中空体内の圧力を所望に応じて制御装置により制御することができる。この制御装置を手動でも、所定にプログラムによっても制御することができる。制御装置のプログラムは、各々の場合、マットレスなどに横になっている人の要求に応じて特定種類の刺激に関して選択することができる。また、制御装置は、マットレスの上側が波状移動、回転移動、傾斜姿勢または振動移動に移す或る刺激パターンを許容する。
【００１２】
前記の支持ばね装置は特にベッド痛を治療したり防いだり、知覚を促進したり、刺激不足を防いだり、および/または痛みの治療に助成したりするのに適している。本発明による支持ばね装置によれば、特にベッドのマットレスに横たわっている人を刺激する。ここでは、種々の基礎的刺激、詳細には、例えば、体細胞刺激、前庭刺激、振動刺激、経口刺激、聴覚刺激、触覚および触感刺激および／または視覚刺激が可能である。
【発明を実施するための最良の形態】
【００１３】
以下、図面を参照して本発明による支持ばね装置の好適な実施の形態をより詳細に説明する。
【００１４】
図示の支持ばね装置は、少なくとも１つのマットレスまたはベッドの基部用、或いは横たわるか或いは座るための備品用の支持体として役立つ。
【００１５】
この支持ばね装置は、複数の細長いスラット１０を有している。これらスラット１０は、好ましくは同じ設計、特に等しい長さのものであって、支持ばね装置の長さ方向１１に対して横の方向に互いに平行に間隔を隔てられている。スラット１０は、好ましくは互いから等しい間隔にあるが、幾つかの領域において、互いからの間隔が変化してもよい。図示の支持ばね装置はまた２つのバー部材１２を有しており、（この場合）これらの部材１２は、同じ設計のものであり、詳細には互いに平行に支持ばね装置の長さ方向に延びている。この種類の弾性バー部材が例えばドイツ特許第１９９４５７２４Ａ１号から知られており、この点においては、この特許を十分に参照せよ。バー部材１２は、同じ設計のものであって、支持ばね装置の対向長さ方向縁部に割り当てられ、これらの縁部を弾ませる。バー部材１２はベッドまたはフレームの長さ方向ストラット（図示せず）に支持されている。スラット１０は両端領域でバー部材１２に連結されている。バー部材１２はスラット１０の端部用の弾性支持手段を構成している。同時に、バー部材１２は、スラット１０が互いに対してのそれらの相対配置を本質的に保持するように、それらの両端部にスラット１０を保持し且つ案内するのに役立つ。
【００１６】
本発明は弾性バー部材１２へのスラット１０の図示の取付けに制限されない。これに対して、任意の他の所望の支持手段をスラット１０の端部に割り当て、その結果、スラット１０をフレーム、ベッドなどの長さ方向ストラットに弾性的に移動可能に設けることも考えることができる。
【００１７】
図示の模範的な実施の形態では、少なくとも幾つかのスラット１０が複数の支持版３に割り当てられている。１つのスラット１０が、好ましくは一様な間隔を隔てている複数の支持板３を有してもよい。隣接スラット１０の支持板１３は、これらが互いに対して互い違いになるようにして互いに対して片寄っている（図１）。
【００１８】
本発明によれば、支持ばね装置は空気ばねのように設計されて作動する持上げ機構１４を有している。図示の模範的な実施の形態では、各スラット１０の各端部が持上げ機構１４に割り当てられている。その結果、各スラット１０は２つの持上げ機構１４を有している。この持上げ機構１４は、すべてほぼ同じ設計のものである。幾つかのスラットのみを両端部で持上げ機構１４に割り当てることも考えることができる。この場合、残りのスラット１０はドイツ特許第１９９４５７２４Ａ１号から知られているようにしてバー部材１２に設けられている。
【００１９】
ここに示す本発明の模範的な実施の形態では、持上げ機構１４は、バー部材１２の領域に配置されている。また、この持上げ機構１４は、バー部材１２の隣接した支持脚部１５、１６間に、つまり、特定のバー部材１２の２つの支持脚部１５、１６間の長さ方向溝１７に位置決めされており、これらの支持脚部は互いにから間隔をおいて平行に延びている。簡単化のために、図１はスラット１０の両端部に割り当てられている２つの持上げ機構１４のみを示している。しかしながら、残りのスラット１０にも同じ持上げ機構１４が割り当てられている。
【００２０】
同じ設計の持上げ機構１４のうちの１つを図３に示してある。この持上げ機構１４の上側は下側に剛性の平らなヘッド板１９を持つクリップヘッド１８を有している。このクリップヘッド１８には、ヘッド板１９を介して弾性ベローズ２０の上側が設けられている。このベローズ２０はその内部に空洞２１を形成しており、この空洞２１に流体、図示の模範的な実施の形態では空気が作用することができる。ベローズ２０は下側で基板２２に連結されており、持上げ機構１４はこの基板２２とともに特定のバー部材１２の長さ方向溝１７の底部に支持されており、従って、関係のあるバー部材１２が割り当てられている長さ方向ストラットに支持されている。基板２２は空気連結部（図３に示していない）を有しており、この空気連結部は、図示の模範的な実施の形態では連結部品２３の内部に配置されている空気管路に連結されている。基板２２から突出している連結部品２３の自由端部がハウジング２４に収容された弁ユニット２５に割り当てられている。弁ユニット２５は電気的に制御することができる弁（図示せず）を有している。電気制御ライン（図３に示していない）をコネクタ２６を介して弁ユニット２５の弁に解放可能に接続することができる。弁ユニット２５もまた空気管路（同様に図示せず）に連結されている。２つの空気管路、詳細には圧縮空気管路および流出空気管路を弁ユニット２５に割り当てることが考えられる。
【００２１】
持上げ機構１４すべての弁ユニット２５の電気制御ラインは共通の中央制御手段（図示せず）に接続されてきる。更に、持上げ機構１４すべての弁ユニット２５の少なくとも圧縮空気管路が共通の空気供給装置、好ましくはポンプに連結されている。最も簡単な場合、ポンプは各圧縮空気供給管路における或る所定の空気圧を維持する。しかしながら、ポンプを中央制御装置から制御し、その結果、特に、要求に応じてポンプの圧力を予め定めるか、或いは変更することも考えられる。
【００２２】
好ましくはプログラミングされた制御手段である制御手段により、各弁ユニット２５が個々に制御される。これにより、各個々の持上げ機構１４に個々に圧縮空気が供給され、その結果、特定のベローズ２０が上方に膨張し、従って持上げ機構１４のクリップヘッド１８を上昇させる。スラット１０の端部を関係した持上げ機構１４の特定のクリップヘッド１８に連結することにより、ベローズ２０の上昇移動をスラット１０の関連端部に伝達することができ、従ってスラット１０はその長さ方向に対して直交する方向に端部が上昇される。スラット１０の関連端部を降下させるために、ベローズ２０における空洞２１は弁ユニット２５によって完全に或いは少なくとも部分的にガス抜きされ、その結果、ベローズは所望程度まで萎み、従って、クリップヘッド１８はこれに留められたスラット１０の端部とともに降下される。
【００２３】
マットレスまたは好ましくはその一部の異なる上昇移動が、制御ユニットの適切なプログラムによって可能である。最も簡単な場合、持上げ機構１４のすべてが同時に（同期して）昇降され、その結果、マットレス全体が垂直方向に上下に移動され、マットレスの表面の形状は実質的に変化しない。また、適切な制御手段のよって、マットレスの一方の側の持上げ機構１４のすべて、すなわち、左右方向バー部材１２に割り当てられた持上げ機構１４のすべてが同時に昇降され、他方の側に位置決めされた持上げ機構１４は不作動のままであることが考えられる。この結果、マットレスが傾斜位置になるか、或いはマットレスが長さ方向１１のまわりに傾動する。また、一方の側の持上げ機構のすべてを移動させ、同時に他方の側の持上げ機構１４のすべてを降下させることも考えられる。その結果、マットレスを約最大角度で傾動させることができる。
【００２４】
他の移動プログラムによれば、スラット１０を長さ方向に１１における両側で徐々に同時に昇降させるようになっている。この目的で、スラット１０の２つの両側に割り当てられた持上げ機構１４は各々の場合、同時に作動される。支持ばね装置の長さ方向におけるスラット１０連続上昇および／または降下により、マットレス表面に連続した波動的移動が生じることができる。マットレスを移動させることの更なる可能性は、まず、一方の側で、すなわち、バー部材１２に沿って持上げ機構を長さ方向１１に個々に次々に上昇させ、再び降下させることを含む。一方の側におけるバー部材１２に沿った上昇移動が起こった後、この上昇移動は、詳細には長さ方向１１と反対方向の対向バー部材により継続される。これによりマットレスに横たわる個人が１種の回転移動を受けることができる。マットレスおよびそれに横たわる個人の上記種類の移動を所望に応じて広げることができ、従って、本発明は以上に説明した移動可能性に制限されない。詳細には、個々の持上げ機構１４の移動の任意の所望の組合せが考えられる。
【００２５】
また、必要に応じて、自動制御手段を少なくとも一時的にオフに切換えたり、持上げ機構１４を手動で制御したりすることが可能である。これは、好ましくはマットレスに横たわっており、従って移動最も気持ちよいと認められるようにして制御して支配することができる個人が受ける。これは特に痛みの治療のために使用される本発明による支持ばね装置の場合に当てはまる。制御手段は、持上げ機構１４の上昇間隔および／または昇降速度を個々に制御するのにも使用することができる。また、持上げ機構１４または支持／刺激機構と同じ効果を有する空気ばねをベッドの表面に配置したり、ベッドカバーに割り当てたりすることも考えられる。更に、持上げ機構１４の自由にプログラミング可能な制御手段をフィードバックを許容するように設計することが可能である。この目的で、マットレスに横たわる個人の生理学的データ、詳細には、その個人の移動を測定し、制御手段が測定値を使用して持上げ機構１４の移動を特定の方法で制御する。例えば、マットレスに横たわる個人の移動の測定は、ベローズ２０における、或いはベローズ２０への空気供給管路における内圧の決定により行うことができる。制御手段によれば、プログラムの適切な選択によって持上げ機構１４がマットレスを周期的に且つまた不規則に、特に、ほぼ周期的に移動させることが可能である。また、前述のフィードバック値に加えた、他の信号、例えば、音響信号、詳細には音楽信号を制御信号に入れることが可能である。所望に応じて、視覚信号、例えば、色信号を制御手段により処理することもできる。
【００２６】
本発明による支持ばね装置、特に、支持ばね装置により生じられる、ベッドや、横なったり座ったりする備品の移動を制御する手段は、刺激目的に役立ち、特に意識不明の個人、人工呼吸装置を付けられた個人、認識機能を失った個人、半眠状態の個人、頭骨または脳に機能障害のある個人、血中酸素減少脳障害のある患者、移動性が制限されたアルツハイマー患者、身体障害者および／または未熟児の基礎的刺激ケアのために役立つ。刺激は、体細胞刺激、前庭刺激、振動刺激、口径刺激、聴覚刺激、触覚および触感刺激、視覚刺激およびこれらの前記種類の刺激の組合せであってもよい。刺激の効果は、特に、刺激不測の除去である。特にマットレスの特定の移動によりもたらされる刺激は特にベッド痛を防いだり治療したりするのに役立つ。また、刺激は痛みの治療に助成したり、知覚を促進したりするのにも役立つ。
【図面の簡単な説明】
【００２７】
【図１】一部を簡単化形態で示す支持ばね装置の平面図である。
【図２】スラットの左右方向の端部を取付けと共に支持手段を示す側面図である。
【図３】制御手段の一部と共にばねスラットの一端部の領域における持上げ機構を示す斜視図である。
【参照番号】
【００２８】
１０      スラット
１１      長さ方向
１２      バー部材
１３      支持板
１４      持上げ機構
１５      支持脚部
１６      支持脚部
１７      長さ方向溝
１８      クリップヘッド
１９      ヘッド板
２０      ベローズ
２１      空洞
２２      基板
２３      連結部品
２４      ハウジング
２５      弁ユニット
【図１】
2005503880.tif 000003
【図２】
2005503880.tif 000004
【図３】
2005503880.tif 000005
【国際公開パンフレット】
2005503880.tif 000006
2005503880.tif 000007
2005503880.tif 000008
2005503880.tif 000009
2005503880.tif 000010
2005503880.tif 000011
2005503880.tif 000012
2005503880.tif 000013
2005503880.tif 000014
2005503880.tif 000015
2005503880.tif 000016
2005503880.tif 000017
2005503880.tif 000018
2005503880.tif 000019
2005503880.tif 000020
2005503880.tif 000021
2005503880.tif 000022
2005503880.tif 000023
【国際調査報告】
2005503880.tif 000024
2005503880.tif 000025
2005503880.tif 000026
2005503880.tif 000027
2005503880.tif 000028
2005503880.tif 000029